(57)【要約】【課題】  連続ラベル紙をセットし直した後の、先頭のＲＦ−ＩＤ素子への電子情報の書き込みにおいて、誤った書き込みが行われないようにする。【解決手段】  ＲＦ−ＩＤ素子に対して、電子情報の書き込みを行う記録装置であって、搬送時にＲＦ−ＩＤ素子のＵＩＤを読み出す手段と、読み出された識別情報を格納する手段と、書き込み対象の１つ前のＲＦ−ＩＤ素子のＵＩＤと書き込み対象のＵＩＤとが異なっていた場合に、書き込みを行う手段と、を備え、更に、連続ラベル紙をセットし直した後であって、書き込み対象の１つ前のＵＩＤがない場合には、一旦、静止状態で書き込み対象のＵＩＤを読み出し（Ｓ１１０２）、搬送を開始してから読み出したＵＩＤと比較し（Ｓ１１０８）、両者が一致していた場合に、該書き込み対象に対して電子情報の書き込みを行うことを特徴とする。【選択図】  図１１
2009015513.tif 000002
【特許請求の範囲】
【請求項１】
ＲＦ−ＩＤタグを夫々に内蔵する複数の記録媒体を連続的に供給する記録媒体供給手段と、
前記記録媒体を搬送する搬送手段と、
前記記録媒体に画像を記録する記録手段と、
前記ＲＦ−ＩＤタグ固有の識別ＩＤを読み出す読出手段と、
前記読出手段により読み出された前記識別ＩＤの順序に従って、前記搬送手段により搬送される前記記録媒体が内蔵するＲＦ−ＩＤタグに、データを書き込むデータ書き込み手段と、を備え、
前記記録媒体が交換された場合、先頭の記録媒体が内蔵するＲＦ−ＩＤタグ固有の識別ＩＤを読み出した後、一旦逆転搬送し、その後前記書き込み手段により、該ＲＦ−ＩＤタグにデータを書き込むことを特徴とする記録装置。
【請求項２】
前記先頭の記録媒体が内蔵するＲＦ−ＩＤタグ固有の識別ＩＤと、前記逆転搬送後に、前記書き込み手段によりデータを書き込む際に読み出された書き込み対象のＲＦ−ＩＤタグ固有の識別ＩＤとが、一致した場合に、該書き込み手段により該ＲＦ−ＩＤタグに書き込みを行うことを特徴とする請求項１に記載の記録装置。
【請求項３】
ＲＦ−ＩＤタグを夫々に内蔵する複数の記録媒体を連続的に供給する記録媒体供給工程と、
前記記録媒体を搬送する搬送工程と、
前記記録媒体に画像を記録する記録工程と、
前記ＲＦ−ＩＤタグ固有の識別ＩＤを読み出す読出工程と、
前記読出工程において読み出された前記識別ＩＤの順序に従って、前記搬送工程において搬送される前記記録媒体が内蔵するＲＦ−ＩＤタグに、データを書き込むデータ書き込み工程と、を備え、
前記記録媒体が交換された場合、先頭の記録媒体が内蔵するＲＦ−ＩＤタグ固有の識別ＩＤを読み出した後、一旦逆転搬送し、その後前記書き込み工程において、該ＲＦ−ＩＤタグにデータを書き込むことを特徴とする記録装置の制御方法。
【請求項４】
前記先頭の記録媒体が内蔵するＲＦ−ＩＤタグ固有の識別ＩＤと、前記逆転搬送後に、前記書き込み工程においてデータを書き込む際に読み出された書き込み対象のＲＦ−ＩＤタグ固有の識別ＩＤとが、一致した場合に、該書き込み工程において該ＲＦ−ＩＤタグに書き込みを行うことを特徴とする請求項３に記載の記録装置の制御方法。
【請求項５】
請求項３または４に記載の制御方法をコンピュータによって実現させるための制御プログラムを格納した記憶媒体。
【請求項６】
請求項３または４に記載の制御方法をコンピュータによって実現させるための制御プログラム。
【発明の詳細な説明】
【技術分野】
【０００１】
本発明は、記録装置における制御技術に関するものであり、特にＲＦ−ＩＤ素子に対する電子情報の書き込み機能を備える記録装置における制御技術に関するものである。
【背景技術】
【０００２】
従来より、メモリを含む集積回路（ＩＣ）チップとアンテナとを備え、非接触で電子情報の書き込み／読み出しが可能な、ＲＦ−ＩＤ（Ｒａｄｉｏ  Ｆｒｅｑｕｅｎｃｙ  ＩＤｅｎｔｉｆｉｃａｔｉｏｎ）素子が開発されてきている。
【０００３】
通常、ＲＦ−ＩＤ素子は、ラベル、タグ、カット紙、プラスチックカード等の記録媒体に内蔵されており、電子情報の書き込み／読み出しに際しては、ＲＦ−ＩＤ通信ドライバおよび通信アンテナを内蔵するＲＦ−ＩＤ通信装置が使用される。具体的には、ＲＦ−ＩＤ通信ドライバを駆動させ、通信アンテナを介して電子情報の送受信を行うことで、ＲＦ−ＩＤ素子への電子情報の書き込み／読み出しが行われる。
【０００４】
そして、最近では、記録媒体表面への記録機能を備える記録装置内にＲＦ−ＩＤ通信装置を内蔵させることで、ＲＦ−ＩＤ素子への電子情報の書き込みが可能な記録装置が開発されてきている（例えば、特許文献１参照）。
【０００５】
ここで、記録媒体に内蔵されたＲＦ−ＩＤ素子に電子情報を書き込むにあたり、書き込もうとするＲＦ−ＩＤ素子が内蔵された記録媒体と、それ以外のＲＦ−ＩＤ素子が内蔵された記録媒体とが近接していた場合に、誤って、書き込もうとするＲＦ−ＩＤ素子以外のＲＦ−ＩＤ素子に対して電子情報を書き込んでしまうことがある。
【０００６】
特に、書き込もうとするＲＦ−ＩＤ素子のＩＣチップが故障しており、アンテナだけが有効であった場合には、当該ＲＦ−ＩＤ素子がアンテナとして機能してしまい、近接する別のＲＦ−ＩＤ素子に電子情報を書き込んでしまうことがある。
【０００７】
図１３は、ラベル１３０２に内蔵されたＲＦ−ＩＤ素子のＩＣチップが故障しており、アンテナだけが有効である場合に、近接する別のラベル１３０３に内蔵されたＲＦ−ＩＤ素子に誤って電子情報が書き込まれてしまった場合の例を示した図である。
【０００８】
通信アンテナ１３０１によって、ラベル１３０２に内蔵されているＲＦ−ＩＤ素子に電子情報を書き込もうとすると、通信アンテナ１３０１からの電波がラベル１３０２のアンテナにより中継され、ラベル１３０３に送信される。そして、ラベル１３０３に内蔵されたＲＦ−ＩＤ素子からの電波も、ラベル１３０２のアンテナで中継されて通信アンテナ１３０１に送信されることとなる。
【０００９】
この結果、制御上はラベル１３０２に内蔵されているＲＦ−ＩＤ素子に対して書き込みを行ったと認識しているにもかかわらず、実際にはラベル１３０３のＲＦ−ＩＤ素子に対して書き込みが実施されていることになる。
【００１０】
このような誤った書き込みに対処すべく、現状の記録装置では、例えば、正常に処理したＲＦ−ＩＤ素子の識別番号を管理することで、書き込み済みのＲＦ−ＩＤ素子に誤って電子情報が上書きされることがないようにしている。
【００１１】
具体的には、書き込もうとするＲＦ−ＩＤ素子の識別番号を読み出すとともに、該識別番号と、１つ前のＲＦ−ＩＤ素子に書き込む際に読み出した該１つ前のＲＦ−ＩＤ素子の識別番号とを比較することで、当該書き込もうとするＲＦ−ＩＤ素子が、１つ前のＲＦ−ＩＤ素子と異なっていることを確認したうえで、電子情報の書き込みを行うこととしている。
【特許文献１】特開２００３−１４０５４８号公報
【発明の開示】
【発明が解決しようとする課題】
【００１２】
しかしながら、上記記録装置の場合、例えば、記録媒体をセットしなおしてしまうと、書き込みを再開する場合の先頭のＲＦ−ＩＤ素子に関しては、１つ前のＲＦ−ＩＤ素子の識別番号と比較することができず、誤った書き込みに対処できない場合がある。具体例を挙げて説明する。
【００１３】
一例として、ＲＦ−ＩＤ素子がラベルに内蔵され、台紙の長尺方向に、複数枚連続して仮着されている連続ラベル紙について説明する。当該連続ラベル紙の場合、書き込み時に搬送異常が発生すると、書き込みが行われていないＲＦ−ＩＤ素子が内蔵されているラベルが通信アンテナの手前にくるように、該連続ラベル紙をセットし直すこととなる。
【００１４】
その際、記録装置の電源を一旦、ＯＦＦ→ＯＮすると、書き込み済みのＲＦ−ＩＤ素子より読み出された識別番号は消去されてしまう。このため、セットし直した後の先頭のＲＦ−ＩＤ素子の識別番号に関しては、１つ前のＲＦ−ＩＤ素子の識別番号と比較することができない。
【００１５】
更に、先頭のＲＦ−ＩＤ素子のＩＣチップが故障しており、アンテナだけが有効であった場合にあっては、該ＲＦ−ＩＤ素子に書き込まれるべき電子情報が、１つ前の書き込み済みのＲＦ−ＩＤ素子に上書きされてしまうこととなる。このため、連続ラベル紙をセットし直した場合の、先頭のＲＦ−ＩＤ素子への書き込みの際にも、識別番号を確認でき、誤った書き込みが回避されるように構成されることが望ましい。
【００１６】
本発明は上記課題に鑑みてなされたものであり、記録媒体をセットしなおした場合であっても、先頭の記録媒体に内蔵されたＲＦ−ＩＤ素子の識別情報を管理できるように構成することで、異なるＲＦ−ＩＤ素子に誤って電子情報が書き込まれてしまうといった事態を回避できるようにすることを目的とする。
【課題を解決するための手段】
【００１７】
上記の目的を達成するために本発明に係る記録装置は以下のような構成を備える。即ち、
ＲＦ−ＩＤタグを夫々に内蔵する複数の記録媒体を連続的に供給する記録媒体供給手段と、
前記記録媒体を搬送する搬送手段と、
前記記録媒体に画像を記録する記録手段と、
前記ＲＦ−ＩＤタグ固有の識別ＩＤを読み出す読出手段と、
前記読出手段により読み出された前記識別ＩＤの順序に従って、前記搬送手段により搬送される前記記録媒体が内蔵するＲＦ−ＩＤタグに、データを書き込むデータ書き込み手段と、を備え、
前記記録媒体が交換された場合、先頭の記録媒体が内蔵するＲＦ−ＩＤタグ固有の識別ＩＤを読み出した後、一旦逆転搬送し、その後前記書き込み手段により、該ＲＦ−ＩＤタグにデータを書き込むことを特徴とする。
【発明の効果】
【００１８】
本発明によれば、記録媒体をセットなおした場合であっても、先頭の記録媒体に内蔵されたＲＦ−ＩＤ素子の識別情報を管理できるように構成することで、異なるＲＦ−ＩＤ素子に誤って電子情報が書き込まれてしまうといった事態を回避できるようになる。
【発明を実施するための最良の形態】
【００１９】
以下添付図面を参照して本発明の好適な実施形態について、具体的かつ詳細に説明する。ただし、以下の実施形態に記載されている構成要素はあくまで例示であり、本発明の範囲はそれらのみに限定されるものではない。
【００２０】
なお、本明細書において、「記録」とは、文字、図形等有意の情報を形成する場合のみならず、有意無意を問わず、また人間が視覚で知覚し得るように顕在化したものであるか否かを問わないことを意味するものとする。すなわち、広く記録媒体上に画像、模様、パターン等を形成する、または記録媒体の加工を行う場合も表すものとする。
【００２１】
また、「記録媒体」とは、一般的な記録装置で用いられる紙のみならず、広く、ラベル、布、プラスチック・フィルム、金属板、ガラス、セラミックス、木材、皮革等、インクを受容可能なものも表すものとする。
【００２２】
更に、「内蔵」とは、対象となる物を含む構成を表すものであり、対象物の位置が内部にある場合だけでなく、外周や表面にある場合も含むものとする。
【００２３】
更に、「ＲＦ−ＩＤ素子」とは、所定容量のメモリとアンテナとを有し、無線通信によって非接触でメモリに対するアクセス（書き込み／読み出し）が可能な素子又はユニットを表すものであり、通信方式や素子の形状等は問わないものとする。なお、現在ＲＦ−ＩＤ素子の用途としては、各ＲＦ−ＩＤ素子に対応する商品や製品等の電子情報等を書き込む、いわゆる無線タグとして使用するのが一般的であるが、もちろん他の用途に使用されても良い。
【００２４】
［第１の実施形態］
＜記録システムの構成＞
図１は、本発明の第１の実施形態にかかる記録装置であって、ＲＦ−ＩＤ通信装置を内蔵し長尺ラインヘッドを備えるインクジェット方式のラベル記録装置（以下、記録装置）と、パーソナルコンピュータ（以下、ＰＣ）とを接続した記録システム１００の外観構成を示す図である。
【００２５】
記録装置１１０とＰＣの制御装置（本体）１２０とは、プリンタケーブル１３０で接続されている。ＰＣの制御装置１２０は、ＲＦ−ＩＤ素子に書き込む為の電子情報（書き込みブロック番号と書き込みデータ等）や、ＲＦ−ＩＤ素子が内蔵された記録媒体表面に記録する為の記録データ等を、制御コマンドとしてプリンタケーブル１３０を介して記録装置１１０に出力する。尚、図中１２１はＰＣのモニタ、１２２はＰＣのキーボード、１２３はＰＣのマウスを示している。
【００２６】
＜ＰＣの制御装置１２０の構成＞
図２は、記録装置１１０と接続されたＰＣの制御装置１２０の電気的構成を示すブロック図である。制御装置１２０は、全体を制御するＣＰＵ（Ｃｅｎｔｒａｌ  Ｐｒｏｃｅｓｓｉｎｇ  Ｕｎｉｔ）２０１、ＣＰＵ２０１がプログラムを実行するための記憶領域として使用されるＲＡＭ２０２、プログラムを保存しておくＨＤＤ２０３を有している。
【００２７】
また、モニタ１２１への出力情報を処理するビデオコントローラ２０４、記録装置１１０と通信するためのプリンタインタフェース２０７、マウス１２３と通信するためのマウスインタフェース２０６、キーボード１２２と通信するためのキーボードインタフェース２０５を備えている。
【００２８】
また、ＨＤＤ２０３内にはＰＣ全体を制御するプログラムであるＯＳや、各制御プログラムが格納されている。制御プログラムとしては、記録データやＲＦ−ＩＤ素子に書き込む為の電子情報を作成するアプリケーションプログラムや、記録データを制御コードに変換してプリンタインタフェース２０７から出力するプログラムであるプリンタドライバなどがある。これらの制御プログラムは、ＣＰＵ２０１により実行される。
【００２９】
＜記録装置１１０のハードウェア構成＞
図３は、図１に示す記録装置１１０のハードウェア構成を示す側断面図である。記録装置１１０は、連続ラベル紙３０４がセットされる給紙部３０５、ＲＦ−ＩＤ素子に電子情報を書き込むための通信アンテナ３０７、連続ラベル紙３０４（詳細は後述）に貼付された各ラベルの位置を検出するためのＴＯＦ（Ｔｏｐ  Ｏｆ  Ｆｏｒｍ）センサ３０９等を備えている。
【００３０】
記録装置１１０では、接続されたＰＣの制御装置１２０から制御コマンドを受信すると記録ジョブが開始され、給紙部３０５にセットされている連続ラベル紙３０４を、搬送ローラ３０２を回転させることで搬送させる。これにより、連続ラベル紙３０４は、搬送ベルト３０３上を搬送され、ＴＯＦセンサ３０９により先端部が検知される。
【００３１】
ラベルに内蔵されているＲＦ−ＩＤ素子に対して書き込みを行う場合、書き込むべき電子情報は通信アンテナ３０７を介して送信される。
【００３２】
ここで、ＴＯＦセンサ３０９で連続ラベル紙３０４の先端を検知した状態において、ＴＯＦセンサ３０９で先端が検知されているラベルに内蔵されているＲＦ−ＩＤ素子は、通信アンテナ３０７の下部に位置するように位置決めされている。
【００３３】
更に連続ラベル紙３０４を搬送させ、画像を形成するインクジェット記録ヘッド３０１（以下、記録ヘッド３０１と称す）により、搬送ベルト３０３上を搬送されているラベルの表面にインクを吐出して記録を行う。記録済みの連続ラベル紙３０４は、排紙口に取り付けられているカッタ３０８によりレベルごとにカットされ、未記録の連続ラベル紙３０４は、その先頭のラベルがＴＯＦセンサ３０９より上流位置にくるまで搬送ローラ３０２を逆回転させることでバックフィードされる。これにより、記録ジョブが終了する。
【００３４】
＜記録装置１１０のハードウェア構成詳細＞
図４は、記録装置１１０のハードウェア構成の詳細を示す側断面図である。上述のように記録装置１１０は、ＲＦ−ＩＤ通信装置を内蔵し、長尺ラインヘッドによってインクジェット方式でラベル９０２の表面に記録を行うと共に、ＲＦ−ＩＤ素子と通信して電子情報の書き込みを行う。
【００３５】
記録装置１１０は、連続ラベル紙３０４の記録幅に対応する長さを有し、連続ラベル紙３０４の搬送に伴って各ラベル９０２に記録を行う記録ヘッド３０１を備えている。また、連続ラベル紙３０４を搬送するための搬送ローラ３０２、搬送ベルト３０３、連続ラベル紙３０４をカットするカッタ３０８、各ラベル９０２に内蔵されたＲＦ−ＩＤ素子９０３に電子情報を書き込むための通信アンテナ３０７を備えている。
【００３６】
センサとしては、連続ラベル紙３０４のラベルの位置を検出するためのＴＯＦセンサ３０９、記録装置１１０に対する連続ラベル紙３０４の着脱を検出する連続ラベル紙着脱検出センサ４０１等を備えている。
【００３７】
当該記録装置１１０は、ラベル９０２への記録データの記録並びにＲＦ−ＩＤ素子９０３への電子情報の書き込みにおいて、以下のように動作する。
【００３８】
はじめに、記録装置１１０には、各ラベル９０２にＲＦ−ＩＤ素子９０３が内蔵されているロール状の連続ラベル紙３０４がセットされる。続いて、例えば、ＰＣの制御装置１２０から制御コマンドを受信すると記録ジョブが開始され、搬送ローラ３０２を回転させることで、連続ラベル紙３０４は搬送ベルト３０３上を搬送させられる。
【００３９】
そして、ＴＯＦセンサ３０９でラベル９０２の先端を検知すると、ラベル９０２に内蔵されているＲＦ−ＩＤ素子９０３に電子情報を書き込む処理を実行する。更に、連続ラベル紙３０４を、ＴＯＦセンサ３０９でラベル９０２の先端を検知した位置より、ＴＯＦセンサ３０９から記録ヘッド３０１までの距離４０２（以下、「記録ギャップ」）とラベルの先端余白９０７（詳細は後述）とを加算した距離分だけ搬送させた後、記録動作を実行する。
【００４０】
記録済みの連続ラベル紙３０４は、記録装置１１０の排紙口に取り付けられているカッタ３０８によりカットされる。記録済みの連続ラベル紙３０４のカット後、未記録の連続ラベル紙３０４は、先頭のラベル９０２がＴＯＦセンサ３０９より上流に位置するまで搬送ローラ３０２を逆回転させることでバックフィードされる。これにより、記録ジョブが終了する。また、連続ラベル紙着脱検出センサ４０１により、連続ラベル紙３０４が交換されたことを検出することが可能である。
【００４１】
＜記録装置１１０の機能構成＞
図５は、本実施形態の記録装置１１０の機能構成を示す簡易ブロック図である。記録装置１１０は、ＭＰＵ（Ｍｉｃｒｏ  Ｐｒｏｃｅｓｓｉｎｇ  Ｕｎｉｔ）５０１によって装置全体が制御され、ＭＰＵ５０１用の制御プログラムを格納するプログラムＲＯＭ５０２が設けられている。また、メモリとして、一時的な記憶領域及びＭＰＵ５０１の作業領域として使用されるＲＡＭ５０３、文字生成用のデータが格納されるＣＧＲＯＭ（Ｃｈａｒａｃｔｅｒ  Ｇｅｎｅｒａｔｏｒ  ＲＯＭ）５０４、記録データを格納するＶＲＡＭ（Ｖｉｄｅｏ  ＲＡＭ）５０５を備えている。
【００４２】
接続されるＰＣの制御装置１２０との通信は、インタフェースドライバ５０６によって制御される。ユーザの操作及び指示を入力するための操作パネルキー５０７、ＴＯＦセンサ３０９、及び連続ラベル紙着脱検出センサ４０１からの入力信号は、入力ポート５０８を介してＭＰＵ５０１に伝達される。ＭＰＵ５０１からの出力信号は、出力ポート５０９を介して、搬送モータドライバ５１０、給紙モータドライバ５１２、カッタモータドライバ５１４、アンテナ移動モータドライバ５１６、操作パネルＬＥＤ５１８にそれぞれ伝達される。
【００４３】
搬送モータドライバ５１０によって搬送モータ５１１が駆動され、給紙モータドライバ５１２によって給紙モータ５１３が駆動される。同様に、カッタモータドライバ５１４によってカッタモータ５１５が駆動され、アンテナ移動モータドライバ５１６によってアンテナ移動モータ５１７が駆動される。
【００４４】
また、ＭＰＵ５０１からの出力信号がＬＣＤドライバ５１９に伝達され、操作パネルＬＣＤ５２０や各種ＬＥＤによる表示が制御される。記録ヘッド３０１は、ヘッド駆動回路５２１によって駆動が制御される。通信アンテナ３０７によって入出力される電波は、ＲＦ−ＩＤ通信ドライバ５２２によって制御される。
【００４５】
ＭＰＵ５０１は、プログラムＲＯＭ５０２に格納された制御プログラムを実行し、ＰＣからの制御コマンドをインタフェースドライバ５０６を制御することで受信する。また、ＭＰＵ５０１は、ＰＣの制御装置１２０から受信した制御コマンド（詳細は後述）のうち、用紙設定コマンド７００やフォーマットコマンド７０１の各種設定値は、ＲＡＭ５０３に記憶し、イメージコマンド７０３のイメージデータは、ＶＲＡＭ５０５に展開する。
【００４６】
また、キャラクタコマンド７０２のキャラクタデータは、ＣＧＲＯＭ５０４より該当するビットマップデータを読み出しＶＲＡＭ５０５に展開し、ＲＦ−ＩＤ素子の先頭ブロック番号や書き込まれる電子情報は、ＲＡＭ５０３に記憶する。
【００４７】
図６は、記録装置１１０の操作パネルを示す図である。操作パネルは、操作パネルキー５０７としての記録中止ボタン６０３、操作パネルＬＣＤ５２０としてのエラー通知用ＬＥＤ６０２、メッセージ表示用ＬＣＤ６０１を備えている。
【００４８】
＜制御コマンドの構造＞
図７及び図８は、本実施形態の記録装置に対して、ＰＣの制御装置１２０から送信される制御コマンドの構造を示す図である。
【００４９】
制御コマンドの種類としては、図７に示すように、用紙設定コマンド、フォーマットコマンド、データコマンド、ジョブ開始コマンド等があり、先頭にある識別コードでコマンドの種類が識別できる。用紙設定コマンド７００は、記録する連続ラベル紙３０４の種類等を設定すべく、用紙種類、用紙サイズ、ＴＯＦマーク幅等のデータを有している。
【００５０】
フォーマットコマンド７０１は、記録データの基準となる記録基準位置、有効記録領域、記録枚数等のデータを有している。データコマンドは、その属性を示す属性部７０２、７０３、７０４と、データ部７０５とから構成される。ジョブ開始コマンド７０６は、記録データの終了を示しジョブの開始を指示する。
【００５１】
なお、これらのコマンド以外に、ＲＦ−ＩＤ素子のＵＩＤ（識別情報）を読み出すコマンド等がある。
【００５２】
データコマンドのキャラクタデータに対応した属性部７０２は、描画座標、フォントの種類、文字サイズ、文字の色、文字修飾、文字間隔、回転角度等のデータを有している。イメージデータに対応した属性部７０３は、描画座標、イメージの種類、縦横のサイズ、描画色等のデータを有している。ＲＦ−ＩＤ素子への書き込まれる電子情報に対応した属性部７０４は、先頭ブロック番号のデータを有している。連続ラベル紙３０４に内蔵されているＲＦ−ＩＤ素子に書き込む場合は、後述するように、属性部７０４に続いて書き込みデータを１ブロック分指定する。ＲＦ−ＩＤ素子に書き込みを行わない場合はＲＦ−ＩＤコマンド７０４を送信しない。
【００５３】
図８は、ＰＣの制御装置１２０からこれらの制御コマンド８０１を記録装置１１０に転送する場合の出力例を示している。
【００５４】
＜連続ラベル紙３０４の構成＞
図９（ａ）は、記録装置１１０において用いられる記録媒体としてのラベルが、台紙の長尺方向に連続して仮着された連続ラベル紙３０４を示す斜視図であり、図９（ｂ）は、連続ラベル紙３０４の一部を拡大した上面図である。
【００５５】
図９（ｂ）に示すように、連続ラベル紙３０４は、台紙９０１上に複数枚のラベル９０２が長手方向に所定間隔で貼り付けられた状態でロール状に巻かれている。連続ラベル紙３０４への記録の際には、ラベル９０２に先端余白９０７を設け、記録範囲９０６に記録が行われる。ＴＯＦ（Ｔｏｐ  Ｏｆ  Ｆｏｒｍ）センサ３０９で検知するのはラベル９０２の先端部９０５であり、ラベル９０２の先端部９０５から所定距離９０４離間した位置にＲＦ−ＩＤ素子９０３が内蔵されている。
【００５６】
＜ＲＦ−ＩＤ素子のメモリ構成＞
図１０（ａ）は電子情報を書き込む前のＲＦ−ＩＤ素子のメモリマップであり、図１０（ｂ）は、ＲＦ−ＩＤ通信装置の通信アンテナとＲＦ−ＩＤ素子との通信シーケンスである。また、図１０（ｃ）は、図１０（ａ）のＲＦ−ＩＤ素子に対して図１０（ｂ）の通信シーケンスにより電子情報を書き込んだ後のＲＦ−ＩＤ素子のメモリマップである。
【００５７】
本実施形態では、ＲＦ−ＩＤ素子のメモリは、４バイト単位のブロックで構成される１２８バイト（３２ブロック×４バイト）のメモリ領域を有し、ブロック単位でアクセスが行われるよう構成されているものとする。図１０（ａ）に示すように、初期状態では全てのメモリのデータは「００Ｈ」となっている。
【００５８】
ＲＦ−ＩＤ素子に電子情報を書き込む場合は、ＰＣの制御装置１２０は記録装置１１０に対して制御コマンドで、「書き込み先頭ブロック番号」と「書き込みデータ」を指定する。
【００５９】
この制御コマンドを受信すると、記録装置１１０はＲＦ−ＩＤ素子に対して通信アンテナを使用してデータ書き込み１００１と、書き込みブロック番号１００２と書き込みデータ１００３とを指示してブロック単位で電子情報を書き込む。図１０（ｃ）は、ブロック０からブロック３まで、１６Ｂｙｔｅ（４ブロック分）の領域１００４に電子情報を書き込んだ状態を示している。
【００６０】
なお、図示した領域は、ユーザが電子情報の読み出し／書き込みが可能なユーザ領域であり、このユーザ領域以外に読み出し専用領域（ＲＯＭ）又は書き換え不能の領域が設けられており、該領域にＲＦ−ＩＤ素子のＵＩＤ（識別情報）が記憶されている。
【００６１】
＜記録動作時の処理＞
次に、上記の如く構成された記録装置における、ＲＦ−ＩＤ素子を内蔵したラベルに対する記録処理／書き込み処理について、図１１のフローチャートを参照しながら詳細に説明する。本処理は、記録装置１１０のＭＰＵ５０１がプログラムＲＯＭ５０２に記憶されている該フローチャートに対応する制御プログラムに基づいて、記録装置１１０各部を制御することで実行される。
【００６２】
記録装置１１０が、ＰＣの制御装置１２０より記録ジョブに関する制御コマンドの受信を開始すると、本処理が起動される。
【００６３】
先ず、ステップＳ１１００では、データ展開処理を実行することで、各種記録データをＶＲＡＭ５０５に展開し、各種設定値や書き込みデータをＲＡＭ５０３に記憶する。
【００６４】
次に、ステップＳ１１０１では、電子情報を書き込もうとするＲＦ−ＩＤ素子が内蔵されたラベルの前のラベルに内蔵されたＲＦ−ＩＤ素子の識別情報であるＵＩＤを既に取得しているか否かを確認する。前のラベルに内蔵されたＲＦ−ＩＤ素子のＵＩＤを取得していないと判定された場合には、ステップＳ１１０２に進み、書き込もうとするＲＦ−ＩＤ素子のＵＩＤを取得するを行う（詳細は図１２を用いて後述）。なお、搬送異常等により、記録装置１１０の電源をＯＦＦ→ＯＮし、書き込みが完了していないＲＦ−ＩＤ素子が内蔵されたラベルが、通信アンテナ３０７の手前にくるように連続ラベル紙３０４をセットしなおした場合には、前のラベルに内蔵されたＲＦ−ＩＤ素子のＵＩＤが消去されてしまっている。このため、ステップＳ１１０２の処理が行われることとなる。
【００６５】
ステップＳ１１０３では、ＲＡＭ５０３上に存在する領域Ｂ（記録起動パルス数）に「記録ギャップ４０２＋先端余白９０７」に対応するパルス数の値を記憶する。
【００６６】
更に、ステップＳ１１０４で、搬送モータ５１１が１パルス単位での駆動を開始すると、ステップＳ１１０５では、ＴＯＦセンサ３０９でラベルの先端が検知されたか否かの確認を行う。
【００６７】
ステップＳ１１０５において、ＴＯＦセンサ３０９がラベルの先端を検知すると、ステップＳ１１０６では、書き込もうとするＲＦ−ＩＤ素子と通信し該素子の識別情報であるＵＩＤの取得を行う。
【００６８】
ここで、前のラベルに内蔵されたＲＦ−ＩＤ素子のＵＩＤを取得しておらず、かつ書き込もうとするＲＦ−ＩＤ素子のＵＩＤを取得していた場合には、ステップＳ１１０８に進む（上述のように連続ラベル紙３０４がセットし直された場合には、ステップＳ１１０７→ステップＳ１１０８に進むことになる）。
【００６９】
ステップＳ１１０８では、ステップＳ１１０２にて取得したＵＩＤと、ステップＳ１１０６にて取得されたＵＩＤとを比較する。
【００７０】
ステップＳ１１０８において、両者が同じである判定された場合には、正常にＲＦ−ＩＤ素子を認識したと判断し、ステップＳ１１１１においてＲＦ−ＩＤ素子に該電子情報の書き込みを行う。一方、ステップＳ１１０８において、両者が異なると判定された場合には、正常にＲＦ−ＩＤ素子を認識できなかったと判断し、ステップＳ１１１０にてエラー処理を行う。
【００７１】
一方、ステップＳ１１０７において前のラベルに内蔵されたＲＦ−ＩＤ素子のＵＩＤを取得していたと判定された場合には、ステップＳ１１０９に進む（連続ラベル紙３０４がセットされた後の、２枚目以降のラベルに内蔵されたＲＦ−ＩＤ素子の場合、ステップＳ１１０７→ステップＳ１１０９に進むこととなる）。
【００７２】
ステップＳ１１０９では、ステップＳ１１０６にて取得したＵＩＤと該前のラベルに内蔵されたＲＦ−ＩＤ素子のＵＩＤとを比較する。
【００７３】
ステップＳ１１０９において、両者が異なると判定された場合には、正常にＲＦ−ＩＤ素子を認識したと判断し、ステップＳ１１１１において該ＲＦ−ＩＤ素子に電子情報の書き込みを行う。一方、両者が同じであると判定された場合には、正常にＲＦ−ＩＤ素子を認識できなかったと判断し、ステップＳ１１０１においてエラー処理を行う。
【００７４】
このように本実施形態にかかる記録装置１１０では、１つ前のラベルに内蔵されたＲＦ−ＩＤのＵＩＤを有している場合（連続ラベル紙３０４をセットし直した場合の２枚目以降のラベルの場合）は、従来と同様に、前のラベルに内蔵されたＲＦ−ＩＤ素子のＵＩＤと、書き込もうとうするＲＦ−ＩＤ素子のＵＩＤとを比較し、異なる場合は、書き込もうとするＲＦ−ＩＤ素子を正常に認識できたと判断する。
【００７５】
更に、本実施形態にかかる記録装置１１０では、前のラベルに内蔵されたＲＦ−ＩＤ素子のＵＩＤを有していない場合（連続ラベル紙３０４をセットし直した場合の先頭のラベルの場合）においても、予め書き込もうとする先頭のＲＦ−ＩＤ素子のＵＩＤを取得しておいて、書き込みを行う際に読み出されたＵＩＤと比較することとした。そして、両者が同じ場合には書き込もうとするＲＦ−ＩＤ素子を正常に認識したと判断し、書き込みを進め、そうでない場合は、書き込もうとするＲＦ−ＩＤ素子を正常に認識できなかったと判断し、エラー処理を行うこととした。
【００７６】
これにより、従来は、前のラベルに内蔵されたＲＦ−ＩＤ素子のＵＩＤが消去されてしまっていた場合に、先頭のＲＦ−ＩＤ素子については、正常か否かの判断を行うことができなかったところ、本実施形態にかかる記録装置１１０によれば、先頭のＲＦ−ＩＤ素子についても、正常か否かの判断を行うことが可能となる。
【００７７】
特に、本実施形態にかかる記録装置１１０の場合、先頭のＲＦ−ＩＤ素子のＩＣチップが故障しており、アンテナだけが有効であった場合に、有効である。
【００７８】
上述のように、従来の記録装置の場合、先頭のＲＦ−ＩＤ素子のＩＣチップが故障しており、アンテナのみが有効であった場合、連続ラベル紙をセットし直した後に、搬送を再開すると、当該先頭のＲＦ−ＩＤ素子のアンテナにより、当該先頭のＲＦ−ＩＤ素子に書き込もうとしていた電子情報が、１つ前のＲＦ−ＩＤ素子に上書きされていた場合でも、これを検出する手立てがなかった。
【００７９】
これに対して、本実施形態にかかる記録装置の場合、連続ラベル紙３０４の搬送を再開する前に、ステップＳ１１０２にて、先頭のＲＦ−ＩＤ素子を通信アンテナ３０７の真下にて停止させた状態で、ＵＩＤの読み出しを行う。このため、当該先頭のＲＦ−ＩＤ素子が故障していた場合には、ＵＩＤを読み出すことができない。一方、連続ラベル紙３０４の搬送を再開した後にステップＳ１１０６にて、該先頭のＲＦ−ＩＤ素子のＵＩＤを読み出そうとすると、該先頭のＲＦ−ＩＤ素子のアンテナにより、１つ前のＲＦ−ＩＤ素子のＵＩＤが読み出されることとなる。この結果、ステップＳ１１０８にて比較すると、両者のＵＩＤが一致しないこととなり、電子情報の書き込みは行われない（つまり、１つ前のＲＦ−ＩＤ素子に電子情報が上書きされてしまうことを回避することができる）。
【００８０】
このように、本実施形態にかかる記録装置１１０では、連続ラベル紙３０４をセットしなおした場合であっても、ＲＦ−ＩＤ素子に対する誤った書き込みを防止することができる。
【００８１】
図１１に戻る。ステップＳ１１１２では、ＲＦ−ＩＤ素子への書き込みが正常終了したか否かを判定し、異常終了したと判定された場合には、ステップＳ１１１０にてエラー処理を実行し、処理を終了する。
【００８２】
一方、ステップＳ１１１２において、ＲＦ−ＩＤ素子への書き込みが正常終了したと判定された場合には、ステップＳ１１１３に進み、ＲＡＭ５０３上に存在する領域Ｃ（駆動ステップ数）に「０」を代入する。
【００８３】
なお、ステップＳ１１１０で実行されるエラー処理としては、例えば、搬送モータ５１１を停止させ、エラー通知用ＬＥＤ６０２を点灯させる処理などが考えられる。
【００８４】
更に、ステップＳ１１１４では、搬送モータ５１１の１パルス単位での駆動を開始し、ステップＳ１１１５では、１パルス駆動する毎に上記領域Ｃの値をインクリメントする。
【００８５】
ステップＳ１１１６では、領域Ｃの値が上記領域Ｂの値以上となったか否かを判定し、Ｃ≧Ｂであれば、搬送モータ５１１の駆動を停止し、ステップＳ１１１７にて１ラスタの記録処理を実行する。そして、ステップＳ１１１８では、ラベル１枚に対する記録が終了したか否かを判定する。ラベル１枚への記録が終了するまでステップＳ１１１４からＳ１１１７の処理を繰り返し実行する。
【００８６】
ステップＳ１１１８で、ラベル１枚への記録が終了したと判定された場合には、ステップＳ１１１９において、設定枚数の記録が終了したか否かを判定し、設定枚数分の記録が終了するまでステップＳ１１０４以降の処理を繰り返す。
【００８７】
ステップＳ１１１９で設定枚数分の記録が終了したと判定された場合には、ステップＳ１１２０において排紙処理を実行し、処理を終了する。ここで実行する排紙処理は、例えば、記録済みのラベルを記録装置１１０の排紙口に取り付けられているカッタ３０８により切断し、未記録のラベルを所定パルス数（ＴＯＦセンサ３０９からカッタ３０８までの距離分）だけバックフィードする処理である。
【００８８】
＜ＵＩＤ取得処理の流れ＞
次に図１２のフローチャートを用いて、ＵＩＤ取得処理（ステップＳ１１０２）について詳細を説明する。
【００８９】
ステップＳ１２０１では、搬送モータ５１１による１パルス単位での駆動を開始し、ステップＳ１２０２では、ＴＯＦセンサ３０９でラベルの先端が検知されたか否かを確認する。
【００９０】
ステップＳ１２０２において、ＴＯＦセンサ３０９によりラベルの先端が検知されたと判定された場合には、ステップＳ１２０３に進み、ラベルをＵＩＤ取得位置まで搬送する。ＵＩＤ取得位置は、他のＲＦ−ＩＤ素子の干渉を受けづらい位置である。
【００９１】
ステップＳ１２０４では、搬送停止状態でＲＦ−ＩＤ素子と通信し、該ＲＦ−ＩＤ素子の識別情報であるＵＩＤの取得を行う（搬送中に通信するのとは異なり、他のＲＦ−ＩＤ素子の影響を受けることなくＵＩＤの取得を行うことができる）。ＵＩＤの取得が終わると、ステップＳ１２０５では、通常の処理を行う為に初期搬送開始位置まで搬送して戻す。
【００９２】
これによって、搬送を再開する前に書き込もうとする先頭のＲＦ−ＩＤ素子のＵＩＤを予め確実に取得することが可能となる。
【００９３】
以上の説明から明らかなように、本実施形態では、前のラベルに内蔵されたＲＦ−ＩＤ素子の識別情報を有していない場合でも、予め書き込もうとするＲＦ−ＩＤ素子の識別情報を搬送停止状態で確実に取得し、搬送時に取得した該書き込もうとするＲＦ−ＩＤの識別情報と比較することによって、他のＲＦ−ＩＤ素子に対して誤って上書きしてしまうといった事態を回避することが可能となる。
【００９４】
［第２の実施形態］
上記第１の実施形態では、長尺ラインヘッドを用いたインクジェット方式のラベル記録装置を例に説明したが、電子情報の書き込み／読み出しが可能なＲＦ−ＩＤ素子との通信機能を有する記録装置であれば、特にこれに限定されるものではない。
【００９５】
例えば、記録媒体としてのプラスチックカード、カット紙等に内蔵されたＲＦ−ＩＤ素子と通信を行うＲＦ−ＩＤ通信装置内蔵のカード記録装置であってもよい。あるいは、記録媒体としてのインクリボン等を用いたり、熱転写紙に内蔵されたＲＦ−ＩＤ素子と通信を行うＲＦ−ＩＤ通信装置内蔵の熱転写方式の記録装置などであってもよく、その記録方式に限定されるものではない。
【００９６】
また、記録装置は、記録媒体に内蔵されているＲＦ−ＩＤ素子に電子情報を書き込む装置や、記録媒体に内蔵されているＲＦ−ＩＤ素子より電子情報を読み出す装置を有してさえいればよく、ＲＦ−ＩＤ素子との通信方式について限定されるものではない。
【００９７】
また、通信アンテナの位置は、上記実施形態で例示した記録ヘッド上流の記録媒体の上側に限らず、記録ヘッドの上流の下側、記録ヘッドの下（記録媒体の下側）、記録ヘッドの下流の上側、記録ヘッドの上流の下側に設けても良い。
【００９８】
また、使用するＲＦ−ＩＤ素子の種類に応じて、対応するＲＦ−ＩＤ通信ドライバを取り替えたり、使用するＲＦ−ＩＤ素子の種類に応じてメモリチェックの方法や、メモリチェックを実行する容量等を変更しても良い。
【００９９】
また、１種類のＲＦ−ＩＤ素子に限らず、複数種類のＲＦ−ＩＤ素子と通信可能なＲＦ−ＩＤ通信ドライバを設け、使用するＲＦ−ＩＤ素子の種類に応じてメモリチェックの方法や、メモリチェックを実行する容量等を変更しても良い。
【０１００】
尚、本発明は、複数の機器から構成される記録システムに適用しても、１つの機器からなる記録装置に適用してもよい。
【０１０１】
なお、本発明は、前述した実施形態の機能を実現するソフトウェアのプログラムを、システム或いは装置に直接或いは遠隔から供給し、そのシステム或いは装置のコンピュータが該供給されたプログラムを読み出して実行することによっても達成され得る。上記実施形態では、図１３のフローチャートに対応したプログラムである。その場合、プログラムの機能を有していれば、形態は、プログラムである必要はない。
【０１０２】
従って、本発明の機能処理をコンピュータで実現するために、該コンピュータにインストールされるプログラムコード自体も本発明を実現するものである。つまり、本発明の範囲には、本発明の機能処理を実現するためのコンピュータプログラム自体も含まれる。
【０１０３】
その場合、プログラムの機能を有していれば、オブジェクトコード、インタプリタにより実行されるプログラム、ＯＳに供給するスクリプトデータ等、プログラムの形態を問わない。
【０１０４】
プログラムを供給するための記録媒体としては、様々なものが使用できる。例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などである。
【０１０５】
その他、プログラムの供給方法としては、クライアントコンピュータのブラウザを用いてインターネットのホームページに接続し、該ホームページからハードディスク等の記録媒体にダウンロードすることによっても供給できる。その場合、ダウンロードされるのは、本発明のコンピュータプログラムそのもの、もしくは圧縮され自動インストール機能を含むファイルであってもよい。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明の範囲に含まれるものである。
【０１０６】
また、本発明のプログラムを暗号化してＣＤ−ＲＯＭ等の記憶媒体に格納してユーザに配布する形態としても良い。その場合、所定の条件をクリアしたユーザに対し、インターネットを介してホームページから暗号化を解く鍵情報をダウンロードさせ、その鍵情報を使用することにより暗号化されたプログラムが実行可能な形式でコンピュータにインストールされるようにする。
【０１０７】
また、コンピュータが、読み出したプログラムを実行することによって、前述した実施形態の機能が実現される形態以外の形態でも実現可能である。例えば、そのプログラムの指示に基づき、コンピュータ上で稼動しているＯＳなどが、実際の処理の一部または全部を行ない、その処理によっても前述した実施形態の機能が実現され得る。
【０１０８】
さらに、記録媒体から読み出されたプログラムが、コンピュータに挿入された機能拡張ボードやコンピュータに接続された機能拡張ユニットに備わるメモリに書き込まれるようにしてもよい。この場合、その後で、そのプログラムの指示に基づき、その機能拡張ボードや機能拡張ユニットに備わるＣＰＵなどが実際の処理の一部または全部を行ない、その処理によって前述した実施形態の機能が実現される。
【図面の簡単な説明】
【０１０９】
【図１】本発明の第１の実施形態にかかる記録装置とＰＣとを接続した記録システム１００の外観構成を示す図である。
【図２】記録装置１１０と接続されたＰＣの制御装置１２０の電気的構成を示すブロック図である。
【図３】記録装置１１０のハードウェア構成を示す側断面図である。
【図４】記録装置１１０のハードウェア構成の詳細を示す側断面図である。
【図５】記録装置１１０の機能構成を示すブロック図である。
【図６】記録装置１１０の操作パネルを示す図である。
【図７】ＰＣの制御装置１２０から送信される制御コマンドの構造を示す図である。
【図８】ＰＣの制御装置１２０から送信される制御コマンドの構造を示す図である。
【図９】連続ラベル紙の構造を示す図である。
【図１０】ＲＦ−ＩＤ素子のメモリマップならびに通信シーケンスを示す図である。
【図１１】記録装置１１０における電子情報の書き込み処理ならびに記録データの記録処理の流れを示すフローチャートである。
【図１２】記録装置１１０におけるＵＩＤ取得処理の流れを示すフローチャートである。
【図１３】ラベルに内蔵されたＲＦ−ＩＤ素子のＩＣチップが故障しており、アンテナだけが有効である場合に、近接する別のラベルに内蔵されたＲＦ−ＩＤ素子に誤って電子情報が書き込まれてしまった場合の一例を示す図である。
【図１】
2009015513.tif 000003
【図２】
2009015513.tif 000004
【図３】
2009015513.tif 000005
【図４】
2009015513.tif 000006
【図５】
2009015513.tif 000007
【図６】
2009015513.tif 000008
【図７】
2009015513.tif 000009
【図８】
2009015513.tif 000010
【図９】
2009015513.tif 000011
【図１０】
2009015513.tif 000012
【図１１】
2009015513.tif 000013
【図１２】
2009015513.tif 000014
【図１３】
2009015513.tif 000015